(57)【特許請求の範囲】
【請求項１】
スプール軸に回転可能に嵌合された内スプールに、釣り糸を巻き取る外スプールを着脱可能に外嵌するとともに、前記スプール軸と内スプールとの間に、前記内スプールの回転に制動力を付与するドラグ機構を設けてなるスピニングリールにおいて、
前記内スプールの外周面と外スプールの内周面とのいずれか一方に設けた有底孔に出没自在に収容され、かつ付勢手段により外周部が有底孔より常時突出するように付勢されたボールと、
前記内スプールの外周面と外スプールの内周面とのいずれか他方に設けられ、前記ボールにおける有底孔よりの突出部が嵌合することにより、前記外スプールの回転を阻止する軸方向を向く係止溝と、
前記係止溝が設けられている前記内スプールの外周面または前記外スプールの内周面に、前記係止溝の軸方向の一端と連続するようにして設けた環状溝と、
前記外スプールの外側面に当接するようにして、前記内スプールに着脱可能に取付けられた抜止め部材
とを備え、前記抜止め部材と前記外スプールを外側方に移動させ、前記係止溝より離脱させた前記ボ−ルを前記環状溝に円周方向に摺動可能に嵌合することにより、前記外スプールの回転を許容しうるようにしたことを特徴とするスピニングリール。
【請求項２】
ボ−ル及び係止溝を、円周方向に間隔を設けて複数設けてなる請求項１記載のスピニングリール。
【請求項３】
内スプールの内側端に連設された大径筒部の外側端部と、外スプールの内側端に連設されたフランジとの対向面のいずれか一方に凹部を、かつ同じく他方に、前記凹部に着脱可能に嵌合するとともに、ボールが係止溝より離脱したとき、突部が凹部より離脱しうるようにした突部を、それぞれ設けてなる請求項１または２記載のスピニングリール。
【請求項４】
スプール軸に回転可能に嵌合された内スプールに、釣り糸を巻き取る外スプールを着脱可能に外嵌するとともに、前記スプール軸と内スプールとの間に、前記内スプールの回転に制動力を付与するドラグ機構を設けてなるスピニングリールにおいて、
前記内スプールの内側端に連設された大径筒部の外側端部と前記外スプールの内側端に連設されたフランジとの対向面のいずれか一方に設けた凹部と、
この凹部と対向するようにして前記大径筒部とフランジとの対向面のいずれか他方に設けられ、かつ前記凹部に嵌合することにより、前記外スプールの回転を阻止する突部と、
前記外スプールの外側面に当接するようにして、前記内スプールに着脱可能に取付けられた抜止め部材
とを備え、前記抜止め部材と前記外スプールを外側方に移動させ、前記突部を凹部より離脱することにより、前記外スプールの回転を許容しうるようにしたことを特徴とするスピニングリール。
【請求項５】
ドラグ機構を、内スプールの内部に設けた前方に開口する凹孔内に設けるとともに、抜止め部材を、円筒軸を有する筒状キャップとし、前記円筒軸を、前記ドラグ機構を囲むようにして、前記凹孔の内面に設けた雌ねじに螺合してなる請求項１〜４のいずれかに記載のスピニングリール。
【発明の詳細な説明】
【技術分野】
【０００１】
本発明は、魚釣用のスピニングリールに関する
【背景技術】
【０００２】
スピニングリールの中には、スプール軸回りに回転することにより、釣り糸を巻き取る１個のスプールと、このスプールを摩擦制動させつつ回転させるドラグ機構とを備えるものがある(例えば特許文献１参照)。
このスピニングリールにおいては、スプールを、スプール軸に着脱可能に取り付けてあるので、スプールを他のスプールと交換することができる。
しかし、スプール内にドラグ機構が組み込まれているので、スプールを交換する際には、ドラグ機構もスプール軸より取り外す必要があり、スプールの交換作業が面倒である。
【０００３】
また、スプール内において、その回転を制動するようになっているため、釣り糸の長さや太さ等に対応して、径の異なる他のスプール、特に径の小さなスプールに単独で交換するのが難しい。そのため、ドラグ機構とスプールとをセットで交換する必要があり、釣り人にとっての経済的な負担が大きい。
【０００４】
このような問題を解決しうるものとして、スプールを、ドラグ機構が収容された内スプールと、これに着脱可能に嵌合された外スプールとの内外二重筒構造とし、必要に応じて、外部スプールのみを交換可能としたスピニングリールも提案されている（例えば、特許文献２、３参照）。
【先行技術文献】
【特許文献】
【０００５】
【特許文献１】特開２００７−１５１４１０号公報
【特許文献２】特開平１０−３２７７２３号公報(図４、図５)
【特許文献３】特開２０００−３０８４４２号公報(図４)
【発明の概要】
【発明が解決しようとする課題】
【０００６】
特許文献２に記載されているスピニングリールにおいては、内スプール(制動筒体)に着脱可能に外嵌された外スプール(スプール外殻)の内側端部の外周部が、リール本体の筒部の外周面に、単に雌雄のねじをもって取り外し可能に螺合されているのみであり、回り止め手段や抜け止め手段が設けられていないため、外スプールに巻回された釣り糸の張力等によりねじが緩むと、外スプールが内スプールに対し回転して外れたり、外スプールとスプール本体の筒部との対向面間に隙間が形成されたりすることがある。このような隙間が形成されると、弛んだ釣り糸が隙間に食い込むなどして、釣り糸を外スプールに円滑に巻き取ることができなくなる恐れがある。
【０００７】
また、外スプールに巻回された釣り糸を抵抗なく繰り出したり、釣り糸のもつれ等を直したりしたいときなどに、外スプールを単独で自由に回転させることができないので、その都度、ドラグ機構を取り外すか、またはその操作筒部を回転させて、スプール軸に対し内スプールの制動摩擦力を最小にし、内スプールと外スプールとを一体的に回転させうるようになければならず、その作業が面倒である。しかも、初期の制動摩擦力に復元させるためには、再度操作筒部を回転させて、ドラグ力を再調整する必要があるので、この調整作業も面倒である。
【０００８】
特許文献３に記載されているスピニングリールにおいては、内スプールに着脱可能に嵌合された外スプールは、内スプールの外側面に複数の止めねじにより固定された押え板により押さえ付けられているので、外スプールが内スプールより抜け外れる恐れはない。
しかし、外スプールを交換する際には、複数の止めねじを締付けたり、緩めたりして、押え板を着脱しなければならないので、外スプールの交換作業が面倒であり、かつ小さな止めねじを紛失させる恐れもある。
また、外スプールの外周面に回動可能に設けたフックを、両スプールに設けたフック孔より離脱させることにより、内スプールに対し外スプールを回転させうるようにはしてあるが、回動して離脱させたフックは、外スプール回りに回転するロータと当接し、ロータの回転と連動して、外スプールが回転するようになっているので、外スプールを単独で自由に回転させることはできない。
【０００９】
本発明は、上記問題点に鑑みてなされたもので、内スプールに対する外スプールの回り止めと外れ止めを確実にするとともに、外スプールの交換作業を容易に行いうるスピニングリールを提供することを第１の目的とし、第２の目的は、ドラグ機構を取り外したり、操作したりすることなく、必要に応じて外スプールを単独で自由に回転させうるようにしたスピニングリールを提供することにある。
【課題を解決するための手段】
【００１０】
本発明によると、上記課題は、次の各項のようにして解決される。
（１）スプール軸に回転可能に嵌合された内スプールに、釣り糸を巻き取る外スプールを着脱可能に外嵌するとともに、前記スプール軸と内スプールとの間に、前記内スプールの回転に制動力を付与するドラグ機構を設けてなるスピニングリールにおいて、前記内スプールの外周面と外スプールの内周面とのいずれか一方に設けた有底孔に出没自在に収容され、かつ付勢手段により外周部が有底孔より常時突出するように付勢されたボールと、前記内スプールの外周面と外スプールの内周面とのいずれか他方に設けられ、前記ボールにおける有底孔よりの突出部が嵌合することにより、前記外スプールの回転を阻止する軸方向を向く係止溝と、前記係止溝が設けられている前記内スプールの外周面または前記外スプールの内周面に、前記係止溝の軸方向の一端と連続するようにして設けた環状溝と、前記外スプールの外側面に当接するようにして、前記内スプールに着脱可能に取付けられた抜止め部材とを備え、前記抜止め部材と前記外スプールを外側方に移動させ、前記係止溝より離脱させた前記ボ−ルを前記環状溝に円周方向に摺動可能に嵌合することにより、前記外スプールの回転を許容しうるようにする。
【００１１】
このような構成とすると、ボールが係止溝に嵌合して係止することにより、内スプールに対し外スプールの回り止めがなされ、かつ内スプールに取付けた抜止め部材により、外スプールが内スプールより抜け外れるのが確実に防止される。
また、ボールは、付勢手段により付勢されて、有底孔内に出没可能に収容されているので、抜止め部材を内スプールより取り外すことにより、外スプールを簡単に着脱することができ、従ってその交換作業を容易に行うことができる。
さらに、ボールを環状溝まで移動させると、外スプールの回り止めが解除され、これを単独かつ定位置で自由に回転させることができるので、外スプールに巻回された釣り糸を抵抗なく繰り出したり、もつれるなどした釣り糸を容易に直したりすることができる。この際、従来のように、ドラグ機構を取り外したり、回動操作したりして、外スプールを内スプールと一体的に回転させうるようにする必要がないので、作業性がよく、かつドラグ機構を再調整する必要もない。
【００１２】
（２）上記(１)項において、ボ−ル及び係止溝を、円周方向に間隔を設けて複数設ける。
【００１３】
このような構成とすると、係止力が増すので、外スプールが効果的に回り止めされる。
【００１４】
（３）上記(１)または(２)項において、内スプールの内側端に連設された大径筒部の外側端部と、外スプールの内側端に連設されたフランジとの対向面のいずれか一方に凹部を、かつ同じく他方に、前記凹部に着脱可能に嵌合するとともに、ボールが係止溝より離脱したとき、突部が凹部より離脱しうるようにした突部を、それぞれ設ける。
【００１５】
このような構成とすると、外スプールを確実に回り止めすることができ、かつ突部が凹部より離脱する位置まで、外スプールを外側方に移動させることにより、これを自由に回転させることができる。
【００１６】
（４）スプール軸に回転可能に嵌合された内スプールに、釣り糸を巻き取る外スプールを着脱可能に外嵌するとともに、前記スプール軸と内スプールとの間に、前記内スプールの回転に制動力を付与するドラグ機構を設けてなるスピニングリールにおいて、前記内スプールの内側端に連設された大径筒部の外側端部と前記外スプールの内側端に連設されたフランジとの対向面のいずれか一方に設けた凹部と、この凹部と対向するようにして前記大径筒部とフランジとの対向面のいずれか他方に設けられ、かつ前記凹部に嵌合することにより、前記外スプールの回転を阻止する突部と、前記外スプールの外側面に当接するようにして、前記内スプールに着脱可能に取付けられた抜止め部材とを備え、前記抜止め部材と前記外スプールを外側方に移動させ、前記突部を凹部より離脱することにより、前記外スプールの回転を許容しうるようにする。
【００１７】
このような構成とすると、外スプールが確実に回り止めされるとともに、内スプールに取付けた抜止め部材により、外スプールが内スプールより抜け外れるのが確実に防止される。
また、抜止め部材を内スプールより取り外すことにより、外スプールを簡単に着脱することができるので、その交換作業を容易に行うことができる。
さらに、突部が凹部より離脱する位置まで、外スプールを外側方に移動させることにより、これを単独で自由に回転させることができる。
【００１８】
（５）上記(１)〜(４)項のいずれかにおいて、ドラグ機構を、内スプールの内部に設けた前方に開口する凹孔内に設けるとともに、抜止め部材を、円筒軸を有する筒状キャップとし、前記円筒軸を、前記ドラグ機構を囲むようにして、前記凹孔の内面に設けた雌ねじに螺合する。
【００１９】
このような構成とすると、ドラグ機構を取り外すことなく、筒状キャップとした抜止め部材を内スプールに着脱することができる。
また、内スプールの凹孔の内面に設けた雌ねじに、筒状キャップの円筒軸を螺合することにより、筒状キャップを内スプールに着脱可能に取り付けているので、従来のような複数の止めねじは不要であり、筒状キャップの着脱作業が容易となる。
【発明の効果】
【００２０】
本発明によると、外スプールの回り止めと外れ止めが確実になるとともに、外スプールの交換作業を容易に行うことができ、かつ、ドラグ機構を取り外したり、操作したりすることなく、必要に応じて外スプールを単独で自由に回転させうるスピニングリールを提供することができる。
【図面の簡単な説明】
【００２１】
【図１】本発明の実施形態１に係わるスピニングリールの一部切り欠き側面図である。
【図２】同じく、スピニングリールの要部を分解して示す側面図である。
【図３】同じく、外スプールをスライドさせて回転可能としたときの要部の縦断側面図である。
【図４】図１のIV−IV線縦断正面図である。
【図５】図３のV−V線縦断正面図である。
【図６】スピニングリールの参考例１を示す要部の縦断側面図である。
【図７】本発明の実施形態２に係わるのスピニングリールの要部の縦断側面図である。
【図８】同じく、外スプールをスライドさせて回転可能としたときの要部の縦断側面図である。
【図９】本発明の実施形態３に係わるスピニングリールの要部の縦断側面図である。
【図１０】同じく、外スプールをスライドさせて回転可能としたときの要部の縦断側面図である。
【図１１】本発明の実施形態４に係わるスピニングリールの要部の縦断側面図である。
【図１２】図１１のXII−XII線縦断正面図である。
【図１３】スピニングリールの参考例２を示す要部の縦断側面図である。
【発明を実施するための形態】
【００２２】
以下、本発明の実施形態を、添付図面に基づいて説明する。
(実施形態１)
図１〜図３は、本発明の実施形態１、すなわち請求項１、２及び５に記載されている発明の実施形態のスピニングリールを示す。
【００２３】
図１〜図３に示すように、スピニングリール１は、釣竿(図示略)への取付部２と脚部３を有するリール本体４と、リール本体４に回転自在に装着されたハンドル５と、リール本体４より前方に向かって突出するスプール軸６と、このスプール軸６回りに回転可能なスプール７と、スプール７回りに旋回するロータ８とを備え、ハンドル５とスプール軸６とロータ８は、リール本体４内に収容されたロータ旋回駆動機構とスプール往復駆動機構(いずれも図示略)に連係されている。
【００２４】
上記ロータ旋回駆動機構とスプール往復駆動機構は、いずれも公知の機構であるので、それらの詳細な説明は省略するが、ハンドル５を回転させると、両機構により、スプール軸６とスプール７とが前後方向に往復運動するとともに、往復運動するスプール７回りにロータ８が旋回運動するようになっている。これにより、図示しない釣り糸がスプール７に巻き付けられる。
【００２５】
スプール７は、スプール軸６に回転可能に嵌合された内スプール９と、この内スプール９に着脱可能に嵌合された外スプール１０との内外二重筒構造とされている。内スプール９は、前半部の小径筒部９ａと、後半部の大径筒部９ｂとからなり、外スプール１０は、前後両端に大径筒部９ｂと同径のフランジ１０ａ、１０ａを有する薄肉の円筒形をなしている。
【００２６】
外スプール１０の前後寸法は、内スプール９の小径筒部９ａの前後寸法とほぼ等しく、外スプール１０は、その後部のフランジ１０ａを内スプール９の大径筒部９ｂの前面に当接させて、小径筒部９ａに回転可能に嵌合されている。
内スプール９の小径筒部９ａの後面は、内スプール９の大径筒部９ｂ内において、スプール軸６の環状溝１１に嵌合されたスナップリング１２と当接し、内スプール９が後方に移動するのが阻止されている。
【００２７】
内スプール９の小径筒部９ａの前部には、前方に開口する凹孔１３が形成され、この凹孔１３内には、内スプール９に適宜の摩擦制動力を付与した状態で、これをスプール軸６回りに回転させるためのドラグ機構１４が収容されている。
【００２８】
ドラグ機構１４は、公知の機構で、凹孔１３内において、内周部がスプール軸６の外周面に相対回転不能かつ軸方向に移動可能に係合された複数(この実施形態では２枚)の摩擦板１５、１５と、この複数の摩擦板１５に交互に重合するようにして、外周部が内スプール９の凹溝１３の内周面に相対回転不能かつ軸方向に移動可能に係合された複数(この実施形態では２枚)の摩擦板１６、１６と、スプール軸６の前部に形成された雄ねじ部１７に螺合された、凹孔１３の内径よりも僅かに小外径のドラグ調整ナット１８と、このドラグ調整ナット１８と上記最前部の摩擦板１６との対向面間に縮設された圧縮コイルばね１９とからなっている。
【００２９】
ドラグ調整ナット１８を、その外側面に突設された操作つまみ部１８ａを指でつまんでねじ込むと、圧縮コイルばね１９を介して、各摩擦板１５、１６が後方に押圧され、それらの対向面同士が強く接触することによって生じる摩擦力により、スプール軸６に対し、内スプール９の回転に制動力が掛かるようになる。ドラグ調整ナット１８を緩めれば、内スプール９を自由に回転させることができる。
【００３０】
小径筒部９ａにおける凹孔１３の内面の前半部に形成された雌ねじ２０には、筒状キャップ２１の後面に突設された円筒軸２１ａにおける外周面の雄ねじ２２が螺合されている。この筒状キャップ２１は、ドラグ調整ナット１８に、相対回転可能に外嵌されている。筒状キャップ２１の外側面には、これを容易に回転させうるように、滑り止め用の複数の突条２３を突設してある。
【００３１】
筒状キャップ２１の外径と、外スプール１０のフランジ１０ａの外径とはほぼ等しく、筒状キャップ２１の円筒軸２１ａを小径筒部９ａの雌ねじ２０に螺合させて、筒状キャップ２１の後面を前部のフランジ１０ａの前面に当接させることにより、外スプール１０が内スプール９より抜け外れるのが防止されるようになっている。
【００３２】
内スプール９における小径筒部９ａの前後部には、求心方向を向くとともに、外周面に開口する複数の有底孔２４が、円周方向に９０°の間隔をもって形成され、各有底孔２４には、硬質のボール２５と、これを離心方向に常時付勢する付勢手段である圧縮コイルばね２６とが収容されている。ボール２５は、その概ね半分が有底孔２４より突出するように、有底孔２４の周囲を凹ませてかしめることにより、抜止めされている。なお、ボール２５の付勢手段は、圧縮コイルばね２６に代えて、ゴム等の弾性体を用いてもよい。
【００３３】
外スプール１０の後端部の内周面には、上記各ボール２５が円周方向に摺動可能に嵌合しうる円弧状断面の環状溝２７が形成されている(図５参照)。
また、環状溝２７のやや前方において、外スプール１０の内周面には、軸方向前向きの円弧状断面をなす複数の係止溝２８が、環状溝２７と連続するようにして、円周方向に９０°の間隔を設けて形成されている。
【００３４】
各係止溝２８の軸方向の長さは、ボール２５の直径よりも若干長寸とされ、外スプール１０を内スプール９に適正位置まで嵌合し、各ボール２５を係止溝２８の前端部まで移動させてそれに係止させると、外スプール１０は、各ボール２５における外向きの弾性付勢力により、内スプール９に対し回り止めされる(図１、図４参照)。なお、このような環状溝２７と係止溝２８は、外スプール１０の後端部の内周面にも対称をなすように設けてある。このようにすると、外スプール１０を内スプール９に嵌合する際に、外スプール１０の前後の向きを確認する必要がないので、組付け時の作業性がよくなる。
【００３５】
以上説明した実施形態１のスピニングリール１においては、内スプール９に設けた複数のボール２５が、外スプール１０の複数の係止溝２８に嵌合して係止することにより、内スプール９に対し外スプール１０は回り止めされ、かつ内スプール９の雌ねじ２０に螺合した筒状キャップ２１により、外スプール１０は抜け止めされているので、ハンドル５を回転操作すると、ロータ８が回転して、外スプール１０に釣り糸を均一に巻き取ることができる。
【００３６】
また、例えば釣り糸の長さや太さ等に対応して、他の径の異なる外スプール１０に単独で、または外スプール１０とそれに予め巻回された釣り糸とをセットで交換する際には、筒状キャップ２１を緩めて内スプール９より取り外したのち、外スプール１０を、各ボール２５の弾性付勢力に抗して前方に強く引き抜き、交換用の他の外スプール１０を内スプール９に再度嵌合すればよい。この際、ドラグ機構１４を分解して取り外したり、回動操作したりする必要がなく、それを内スプール９に装着したままの状態で行いうるので、外スプール１０の交換作業を容易に行うことができ、かつ外スプール１０の交換後において、ドラグ機構１４のドラグ力を再調整する必要もない。
【００３７】
図３及び図５に示すように、筒状キャップ２１を緩めて、外スプール１０を前方にスライドさせ、各ボール２５を環状溝２７まで相対移動させると、内スプール９に対し外スプール１０の回り止めが解除され、外スプール１０を単独で自由に回転させることができるので、従来のように、ドラグ機構１４を取り外したり、操作つまみ部１８ａを回動操作したりして、外スプール１０を内スプール９と一体的に回転させうるようにする必要がない。この際、各ボール２５が環状溝２８内に位置しているので、外スプール１０が妄りに軸方向に移動する恐れはなく、内スプール９に対し定位置で回転させることができる。
【００３８】
このように、外スプール１０を自由に回転させうるようにすると、それに巻回された釣り糸を抵抗なく繰り出したり、もつれるなどした釣り糸を容易に直したりすることができる。
【００３９】
(参考例１)
図６は、スピニングリールの参考例１を示す。
この参考例１のスピニングリールは、上記実施形態１のスピニングリールに設けた環状溝２７のみを省略し、複数の有底孔２４に収容したボール２５を、複数の係止溝２８に着脱可能に嵌合したものである。
【００４０】
この参考例１のスピニングリールにおいても、上記実施形態１と同様に、内スプール９に対し外スプール１０は回り止めされ、かつ内スプール９の雌ねじ２０に螺合した筒状キャップ２１により、外スプール１０が抜け止めされている。
また、ドラグ機構１４を取り外したり、操作つまみ部１８ａを回動操作したりすることなく、外スプール１０を簡単に交換することができる。
なお、この参考例１の係止溝２８は、ボール２５の突出部が嵌合可能な円弧状断面の凹溝としてもよい。
【００４１】
(実施形態２)
図７及び図８は、本発明の実施形態２、すなわち請求項１〜３、及び５に記載されている発明の実施形態のスピニングリールを示す。
実施形態２のスピニングリールにおいては、上記と同様のスピニングリール１における外スプール１０の後部のフランジ１０ａに、複数の係止孔２９を、円周方向に等間隔おきに設け、各係止孔２９を、内スプール９における大径筒部９ｂの前面に突設した複数の突部３０に、着脱自在に嵌合することにより、内スプール９に対し外スプール１０が確実に回り止めされるようにしたものである。外スプール１０の前後の向きを確認する必要がないように、前部のフランジ１０ａにも係止溝２９を設けてある。
なお、上記とは反対に、後部のフランジ１０ａに突部３０を、大径筒部９ｂの前面に、突部３０に嵌合する係止孔２９を、それぞれ設けてもよい。
【００４２】
実施形態２のスピニングリールにおいても、実施形態１のスピニングリールと同様の作用効果を奏することができる。
また、内スプール９に対し外スプール１０が確実に回り止めされているので、釣り糸が強く引っ張られても、外スプール１０が回転する恐れはない。
【００４３】
実施形態２のスピニングリールにおいても、図８に示すように、筒状キャップ２１を緩めて、外スプール１０を前方にスライドさせ、各ボール２５を環状溝２７まで移動させるとともに、係止孔２９を突部３０より離脱させると、内スプール９に対し外スプール１０の回り止めが解除されるので、外スプール１０を定位置で自由に回転させることができる。
なお、上記実施形態１及び２のスピニングリールにおいては、内スプール９側にボール２５を、外スプール１０側に環状溝２７と係止溝２８を、それぞれ設けてあるが、これとは反対に、外スプール１０側にボール２５を、内スプール９側に環状溝２７と係止溝２８を設けてもよい。この際には、外スプール１０の筒部の肉厚を大とするとともに、環状溝２７を、実施形態とは反対に係止溝２８の前方に設ければよい。
【００４４】
また、参考例１のスピニングリールにおいても、外スプール１０側にボール２５を、内スプール９側に係止溝２８を設けてもよい。
【００４５】
(実施形態３)
図９及び図１０は、本発明の実施形態３、すなわち請求項４、及び５に記載されている発明の実施形態のスピニングリールを示す。
実施形態３のスピニングリールにおいては、上記実施形態において、内スプール９に設けた有底孔２４、ボール２５、及び圧縮コイルばね２６と、外スプール１０に設けた環状溝２７及び係止溝２８とを省略し、外スプール１０の後部のフランジ１０ａと、内スプール９における大径筒部９ｂの前面とに、それぞれ実施形態３と同様の係止孔２９と突部３０を設けたものである。
【００４６】
実施形態３のスピニングリールにおいても、上記実施形態２と同様に、内スプール９に対し外スプール１０が確実に回り止めされているので、外スプール１０が回転する恐れはない。
また、内スプール９に螺着した筒状キャップ２１により、外スプール１０が内スプール９より抜け外れるのが確実に防止される。
【００４７】
実施形態３のスピニングリールも、図１０に示すように、筒状キャップ２１を緩めて、外スプール１０を前方にスライドさせ、係止孔２９を突部３０より離脱させると、外スプール１０を自由に回転させうるので、外スプール１０に巻回された釣り糸を抵抗なく繰り出したり、もつれるなどした釣り糸を容易に直したりすることができる。
【００４８】
(実施形態４)
図１１及び図１２は、本発明の実施形態４のスピニングリールを示す。
実施形態４のスピニングリールは、実施形態３のスピニングリールの変形例で、外スプール１０における後部のフランジ１０ａの外周部後面に、複数の突部３１を、後向きに突設するとともに、各突部３１と対向する内スプール９の大径筒部９ｂの外周部に、前方及び外径方向に開口する複数の係止溝３２を設け、各突部３１を係止溝３２に着脱自在に嵌合することにより、内スプール９に対し外スプール１０を回り止めしたものである。
【００４９】
図示は省略するが、実施形態４のスピニングリールにおいても、筒状キャップ２１を緩めて、外スプール１０を前方にスライドさせ、突部３１を係止溝３２より離脱させれば、外スプール１０を自由に回転させることができる。
なお、上記とは反対に、突部３１を大径筒部９ｂ側に、係止溝３２をフランジ１０ａ側に設けることもできる。
【００５０】
また、上記実施形態３の係止孔２９と突部３０に代えて、実施形態４のような突部３１と係止溝３２としてもよい。
さらに、実施形態３及び実施形態４においては、内スプール９の小径筒部９ａと、それに嵌合された大径筒部１０との対向面に、互いに補形をなす軸方向を向く突条と凹条を設け、それらを軸方向に摺動可能に嵌合して、内スプール９に対し外スプール１０を回り止めするようにしてもよい。
【００５１】
(参考例２)
図１３は、参考例２のスピニングリールを示す。
参考例２のスピニングリールは、内スプール９の小径筒部９ａの外周面に雄ねじ３３を形成し、この雄ねじ３３に、外スプール１０の中央部内面に形成した雌ねじ３４を螺合することにより、内スプール９の小径筒部９ａに、外スプール１０を、着脱可能に装着したものである。雌ねじ３４を、外スプール１０の中央部のみに設けてあるのは、外スプール１０の着脱を速やかに行うためである。
なお、外スプール１０の着脱を迅速に行いうるように、ねじピッチを大としたり、多条ねじとしたりしてもよい。
【００５２】
ねじの条方向は、釣り糸の張力により、外スプール１０が増し締めされる向きとされ、釣り糸の張力により外スプール１０が回転しないようにしてある。
また、小径筒部９ａの雌ねじ２０に螺合した筒状キャップ２１を、外スプール１０の前部のフランジ１０ａに当接させることで、外スプール１０の緩み止めがなされている。
【００５３】
この参考例２においても、内スプール９に対し外スプール１０は確実に回り止めされ、かつ筒状キャップ２１を取外せば、ドラグ機構１４を取り外すことなく、外スプール１０を交換することができる。
【符号の説明】
【００５４】
１  スピニングリール
２  取付部
３  脚部
４  リール本体
５  ハンドル
６  スプール軸
７  スプール
８  ロータ
９  内スプール
９ａ小径筒部
９ｂ大径筒部
１０  外スプール
１０ａフランジ
１１  環状溝
１２  スナップリング
１３  凹孔
１４  ドラグ機構
１５  摩擦板
１６  摩擦板
１７  雄ねじ部
１８  ドラグ調整ナット
１８ａ操作つまみ部
１９  圧縮コイルばね
２０  雌ねじ
２１  筒状キャップ(抜止め部材)
２１ａ円筒軸
２２  雄ねじ
２３  突条
２４  有底孔
２５  ボール
２６  圧縮コイルばね
２７  環状溝
２８  係止溝
２９  係止孔(凹部)
３０  突部
３１  突部
３２  係止溝(凹部)
３３  雄ねじ
３４  雌ねじ
【図１】
0005600076.tif 000002
【図２】
0005600076.tif 000003
【図３】
0005600076.tif 000004
【図４】
0005600076.tif 000005
【図５】
0005600076.tif 000006
【図６】
0005600076.tif 000007
【図７】
0005600076.tif 000008
【図８】
0005600076.tif 000009
【図９】
0005600076.tif 000010
【図１０】
0005600076.tif 000011
【図１１】
0005600076.tif 000012
【図１２】
0005600076.tif 000013
【図１３】
0005600076.tif 000014